(57)【特許請求の範囲】
【請求項１】
接続対象物の一端を所定位置に挿入可能なコネクタ本体と、コネクタ本体に挿入された接続対象物に電気的に接触する端子と、接続対象物を端子側に押圧する押圧部材とを備え、コネクタ本体の幅方向両側面部に押圧部材を前後方向に移動自在に係合する長孔を設け、押圧部材を前方に引き出すと押圧部材に設けた係止部が長孔の前端部に係止するようにしたコネクタにおいて、
前記長孔の少なくとも前端側の側面にコネクタ本体の側面部と一体に形成された補強壁を設け、
前記押圧部材を前方に引き出すと、押圧部材の係止部に設けた傾斜面が長孔の前端部に当接して押圧部材の前端側が上方に回動するとともに、押圧部材の係止部と長孔の前端部との当接によって押圧部材が上方へ回動した状態で保持されるように構成した
ことを特徴とするコネクタ。
【請求項２】
前記補強壁を長孔の前端部よりも幅を小さく形成し、コネクタ本体の側面寄りに位置するように設けた
ことを特徴とする請求項１記載のコネクタ。
【発明の詳細な説明】
【０００１】
【発明の属する技術分野】
本発明は、例えばフレキシブルプリント回路（ＦＰＣ）やフレキシブルフラットケーブル（ＦＦＣ）等を接続するためのコネクタに関するものである。
【０００２】
【従来の技術】
従来、この種のコネクタとしては、ＦＰＣやＦＦＣ等の接続対象物の一端を所定位置に挿入可能なコネクタ本体と、コネクタ本体に挿入された接続対象物に電気的に接触する端子と、接続対象物を端子側に押圧する押圧部材とを備え、押圧部材をコネクタ本体に前後方向に移動自在及び上下方向に回動自在に係合したものが知られている（例えば、特許文献１参照。）。
【０００３】
このコネクタでは、押圧部材を前方に引き出して上方に回動すると、接続対象物がコネクタ本体に挿入可能となり、接続対象物をコネクタ本体に挿入した状態で押圧部材を下方に回動して後方に移動させると、接続対象物が押圧部材によって端子側に押圧され、接続対象物との接続が完了するようになっている。
【０００４】
【特許文献１】
特開２００２−２５２０４９号公報
【０００５】
【発明が解決しようとする課題】
ところで、前述と同様のコネクタとして、例えば図１３乃至図１６に示すものは、コネクタ本体１の幅方向両側面部１ａに前後方向に延びる長孔１ｂを設け、この長孔１ｂに押圧部材２の幅方向両端に設けたアーム部２ａを前後方向に移動自在に挿入し、押圧部材２を前方に引き出すと、アーム部２ａの先端に設けた係止部２ｂが長孔１ｂの前端部１ｃに係止するようになっている。
【０００６】
しかしながら、前記コネクタでは、押圧部材２を前方に引き出す際、押圧部材２の係止部２ｂが長孔１ｂの前端部１ｃに当接するため、当接による荷重が長孔１ｂの前端部１ｃに集中的に加わり、長孔１ｂの前端部１ｃが破損し易いという問題点があった。
【０００７】
本発明は前記問題点に鑑みてなされたものであり、その目的とするところは、押圧部材を前方に引き出す際の荷重による長孔の前端部の破損を確実に防止することのできるコネクタを提供することにある。
【０００８】
【課題を解決するための手段】
本発明は前記目的を達成するために、請求項１では、接続対象物の一端を所定位置に挿入可能なコネクタ本体と、コネクタ本体に挿入された接続対象物に電気的に接触する端子と、接続対象物を端子側に押圧する押圧部材とを備え、コネクタ本体の幅方向両側面部に押圧部材を前後方向に移動自在に係合する長孔を設け、押圧部材を前方に引き出すと押圧部材に設けた係止部が長孔の前端部に係止するようにしたコネクタにおいて、前記長孔の少なくとも前端側の側面にコネクタ本体の側面部と一体に形成された補強壁を設け、前記押圧部材を前方に引き出すと、押圧部材の係止部に設けた傾斜面が長孔の前端部に当接して押圧部材の前端側が上方に回動するとともに、押圧部材の係止部と長孔の前端部との当接によって押圧部材が上方へ回動した状態で保持されるように構成している。これにより、押圧部材を前方に引き出す際、長孔の前端部には押圧部材の係止部の当接による荷重が加わるが、長孔の前端側の側面にはコネクタ本体の側面部と一体に形成された補強壁が設けられていることから、係止部の当接荷重が補強壁を介して周囲の側面部に分散し、長孔の前端部に集中的に加わることがない。
【０００９】
また、請求項２では、請求項１記載のコネクタにおいて、前記補強壁を長孔の前端部よりも幅を小さく形成し、コネクタ本体の側面寄りに位置するように設けている。これにより、請求項１の作用に加え、補強壁が長孔の前端部よりも幅が小さく、コネクタ本体の側面寄りに設けられていることから、補強壁によって係止部の移動が妨げられることはない。
【００１０】
【発明の実施の形態】
図１乃至図１２は本発明の一実施形態を示すもので、図１はコネクタの斜視図、図２はその側面図、図３及び図４はその動作を示す側面図、図５はコネクタの側面断面図、図６はフレキシブル回路図を接続したコネクタの側面断面図、図７及び図８はコネクタの動作を示す平面図、図９及び図１０はその正面側斜視図、図１１及び図１２はその背面側斜視図である。
【００１１】
このコネクタは、接続対象物としてのフレキシブル回路Ａの一端を挿入可能なコネクタ本体１０と、コネクタ本体１０に挿入されたフレキシブル回路Ａの接点と電気的に接触する複数の端子２０と、フレキシブル回路Ａを各端子２０側に押圧する押圧部材３０とから構成されている。
【００１２】
フレキシブル回路Ａは、いわゆるフレキシブルプリント回路（ＦＰＣ）と称されるものであり、その先端側の下方の面には複数の電気接点（図示せず）が互いに幅方向に間隔をおいて設けられている。尚、接続対象物としては、フレキシブルフラットケーブル（ＦＦＣ）等であってもよい。
【００１３】
コネクタ本体１０は合成樹脂の成形品からなり、前面側を開口した箱状に形成されている。即ち、コネクタ本体１０は、上面部１１、背面部１２、側面部１３及び底面部１４からなり、その前面開口部からフレキシブル回路Ａが挿入されるようになっている。背面部１２には複数の端子孔１２ａが互いに幅方向に等間隔で設けられ、各端子孔１２ａには各端子２０がそれぞれ保持されるようになっている。各側面部１３にはそれぞれ前後方向に延びる長孔１３ａが設けられ、各長孔１３ａに押圧部材３０を係合するようになっている。長孔１３ａはその後端及び側面の後端側を開放されており、その前端側の側面は側面部１３と一体に形成された補強壁１３ｂによって閉塞されている。長孔１３ａの前端部１３ｃには押圧部材３０が係止するようになっており、補強壁１３ｂは前端部１３ｃよりも幅が小さく形成され、コネクタ本体１０の側面寄りに位置するように設けられている。
【００１４】
各端子２０は導電性の金属板からなり、コネクタ本体１０の各端子孔１２ａにそれぞれ保持されている。各端子２０は、互いに上下方向に間隔をおいて前方に二股状に延びる固定片部２１及び弾性片部２２を有し、その後端には基板Ｂに接続される基板接続部２３が設けられている。
【００１５】
押圧部材３０は合成樹脂の成形品からなり、コネクタ本体１０の外部に配置される操作部３１と、コネクタ本体１０内に配置される押圧片３２と、コネクタ本体１０内に挿入される左右一対のアーム部３３とから構成されている。操作部３１は押圧部材３０の幅方向に延び、その両端には把持部３１ａが突設されている。また、操作部３１の下面中央にはフレキシブル回路Ａを挿通可能な凹部３１ｂが設けられている。押圧片３２は操作部３１の背面中央から後方に延び、各端子２０の固定片部２１の下方に位置するようになっている。この場合、押圧片３２は先端側に向かって厚さ寸法が徐々に小さくなるように形成されている。各アーム部３３は操作部３１の背面両端側から後方に向かって延び、それぞれコネクタ本体１０の各長孔１３ａ内に前後方向に移動自在に挿入されている。各アーム部３３の先端には長孔１３ａの前端部１３ｃに係止する係止部３３ａが幅方向に突出するように設けられ、係止部３３ａの前面、即ち長孔１３ａの前端部１３ｃに係止する面は、後方に向かって下り傾斜をなす傾斜面３３ｂによって形成されている。また、各アーム部３３の前後方向中央部には幅方向に突出する山形の突起部３３ｃが設けられ、アーム部３３が前後方向に移動する際、アーム部３３の弾性変形により突起部３３ｃが長孔１３ａの前端部１３ｃを強制的に乗り越えるようになっている。
【００１６】
以上のように構成されたコネクタにおいては、各端子２０の基板接続部２３を基板Ｂに半田付けすることにより、各端子２０が基板Ｂに接続される。また、フレキシブル回路Ａをコネクタに接続する場合は、図３に示すように押圧部材３０を前方に引き出すことにより、フレキシブル回路Ａがコネクタ本体１０内に挿入可能となる。即ち、図５に示すように押圧部材３０の押圧片３２は先端側に向かって厚さ寸法が小さくなるように形成されているので、押圧部材３０が前方に移動すると、各端子２０の弾性片部２２と押圧片３２との間隔が広がり、フレキシブル回路Ａが弾性片部２２と押圧片３２との間に挿入可能となる。また、押圧部材３０を前方に引き出すと、各アーム部３３の突起部３３ｃが長孔１３ａの前端部１３ｃを乗り越えるとともに、長孔１３ａの前端部１３ｃにアーム部３３の係止部３３ａが係止することにより、押圧部材３０が引き出し位置に保持される。その際、係止部３３ａの傾斜面３３ｂが長孔１３ａの前端部１３ｃに当接し、突起部３３ｃによる押圧部材３０の前方位置への保持力によって傾斜面３３ｂが長孔１３ａの前端部１３ｃに沿って垂直になろうとする。これにより、図４に示すように押圧部材３０が上方に回動してその前端側が上昇し、フレキシブル回路Ａの挿入が容易になる。
【００１７】
次に、フレキシブル回路Ａを各端子２０の弾性片部２２と押圧片３２との間に挿入した後、押圧部材３０を下方に回動しながらコネクタ本体１０の後方に向かって移動させると、押圧片３２と弾性片部２２との間隔が徐々に狭くなり、押圧片３２によってフレキシブル回路Ａが弾性片部２２側に押圧され、図６に示すようにフレキシブル回路Ａと各端子２０の弾性片部２２とが互いに圧接して電気的に接続される。
【００１８】
また、前記押圧部材３０を前方に引き出す際、長孔１３ａの前端部１３ｃには押圧部材３０の係止部３３ａの当接による荷重が加わるが、長孔１３ａの前端側の側面にはコネクタ本体１０の側面部１３と一体に形成された補強壁１３ｂが設けられていることから、係止部３３ａの当接荷重が補強壁１３ｂを介して周囲の側面部１３に分散し、長孔１３ａの前端部１３ｃに集中的に加わることがない。また、補強壁１３ｂは、長孔１３ａの前端部１３ｃよりも幅が小さく、コネクタ本体１０の側面寄りに設けられているので、補強壁１３ｂによって係止部３３ａの移動が妨げられることはない。
【００１９】
このように、本実施形態のコネクタによれば、押圧部材３０を前方に引き出す際の荷重が長孔１３ａの前端部１３ｃに集中的に加わることがないので、長孔１３ａの前端部１３ｃの破損を確実に防止することができ、耐久性の向上を図ることができる。
【００２０】
また、補強壁１３ｂによって係止部３３ａの移動が妨げられることがないので、押圧部材３０の引き出し操作を常に良好に行うことができ、操作性の向上を図ることができる。
【００２１】
尚、前記実施形態では、長孔１３ａの側面の前端側のみに補強壁１３ｂを設けたものを示したが、長孔１３ａの側面全体を覆う補強壁を設けてもよい。
【００２２】
【発明の効果】
以上説明したように、請求項１のコネクタによれば、押圧部材を前方に引き出す際の荷重がコネクタ本体の長孔の前端部に集中的に加わることがないので、長孔の前端部の破損を確実に防止することができ、耐久性の向上を図ることができる。
【００２３】
また、請求項２のコネクタによれば、請求項１の効果に加え、補強壁によって係止部の移動が妨げられることがないので、押圧部材の引き出し操作を常に良好に行うことができ、操作性の向上を図ることができる。
【図面の簡単な説明】
【図１】本発明の一実施形態を示すコネクタの斜視図
【図２】コネクタの側面図
【図３】コネクタの動作を示す側面図
【図４】コネクタの動作を示す側面図
【図５】コネクタの側面断面図
【図６】フレキシブル回路図を接続したコネクタの側面断面図
【図７】コネクタの動作を示す平面図
【図８】コネクタの動作を示す平面図
【図９】コネクタの動作を示す正面側斜視図
【図１０】コネクタの動作を示す正面側斜視図
【図１１】コネクタの動作を示す背面側斜視図
【図１２】コネクタの動作を示す背面側斜視図
【図１３】従来のコネクタを示す側面図
【図１４】従来のコネクタを示す側面図
【図１５】従来のコネクタを示す平面図
【図１６】従来のコネクタを示す平面図
【符号の説明】
１０…コネクタ本体、１３…側面部、１３ａ…長孔、１３ｂ…補強壁、１３ｃ…前端部、２０…端子、３０…押圧部材、３３ａ…係止部、Ａ…フレキシブル回路。
【図１】
0003685785.tif 000002
【図２】
0003685785.tif 000003
【図３】
0003685785.tif 000004
【図４】
0003685785.tif 000005
【図５】
0003685785.tif 000006
【図６】
0003685785.tif 000007
【図７】
0003685785.tif 000008
【図８】
0003685785.tif 000009
【図９】
0003685785.tif 000010
【図１０】
0003685785.tif 000011
【図１１】
0003685785.tif 000012
【図１２】
0003685785.tif 000013
【図１３】
0003685785.tif 000014
【図１４】
0003685785.tif 000015
【図１５】
0003685785.tif 000016
【図１６】
0003685785.tif 000017